(57)【要約】【課題】被験者の偽らない深層心理を取得して、それに基づいて深層心理診断を行うものであるため正確に被験者の深層心理診断を可能とする深層心理診断システムを提供する。【解決手段】サーバと、被験者端末と、試験者端末と、が公衆通信回線網により相互に通信可能に接続されて構成されている深層心理診断システムにおいて、サーバは、診断項目取得手段と、色情報取得手段と、色印象取得手段と、深層心理構築手段と、深層心理提示手段と、を備え、前記被験者端末は、診断項目選択手段と、色選択手段と、色印象回答手段と、を備えたことを特徴とする色による深層心理診断システムとした。【選択図】図３
2018010563.tif 000002
【特許請求の範囲】
【請求項１】
試験者が運用するサーバと、被験者が使用する被験者端末と、を公衆通信回線網により相互に通信可能に接続して構成した深層心理診断システムにおいて、
前記サーバは、
予め試験者が用意した心理療法に応じた複数の診断項目から被験者が選択した診断項目を取得する診断項目取得手段と、
赤色、橙色、黄色、緑色、青色、藍色、紫色、桃色、黒色、白色、金色、銀色の１２色の異なる色でそれぞれ着色された１２枚のカラープレートと、前記診断項目毎に予め設定されている複数の質問事項とを被験者に提示し、前記質問事項に対する回答として前記１２枚のカラープレートから被験者が選択したカラープレートの色を取得する色情報取得手段と、
被験者が選択したカラープレートの色に対する被験者の印象を取得する色印象取得手段と、
取得した被験者の印象に基づいて被験者の深層心理を構築する深層心理構築手段と、
前記深層心理構築手段により構築した被験者の深層心理を、被験者に提示する深層心理提示手段と、を備え、
前記被験者端末は、
心理療法に応じた複数の診断項目の中から被験者が所望する診断項目を選択する診断項目選択手段と、
前記１２枚のカラープレートから前記複数の質問事項に対する回答として、被験者がふさわしいと感じた色のカラープレートを選択する色選択手段と、
被験者が選択したカラープレートの色に対する被験者の印象を被験者自身の言葉で回答する色印象回答手段と、
前記サーバから提示された被験者の深層心理を表示する深層心理表示手段と、を備え、
被験者自身の言葉で構築された被験者の深層心理を被験者自身が認識することで、被験者の心理療法を行うことを特徴とする深層心理診断システム。
【請求項２】
試験者が使用する試験者端末をさらに備え、
前記被験者端末は、前記サーバ及び前記被験者端末と公衆通信回線網により相互に通信可能に接続されており、
前記試験者端末は、前記サーバが有する前記診断項目取得手段、前記色情報取得手段、前記色印象取得手段、前記深層心理構築手段、前記深層心理提示手段を備え、
前記被験者端末と前記試験者端末との間で実行される前記診断項目取得手段、前記色情報取得手段、前記色印象取得手段、前記深層心理構築手段、前記深層心理提示手段、前記診断項目選択手段、前記色選択手段、前記色印象回答手段を、試験者がモニタリング可能としたことを特徴とする請求項１に記載の深層心理診断システム。
【請求項３】
前記深層心理構築手段は、
被験者が選択した色に対する被験者の印象として取得した被験者自身の言葉だけで被験者の深層心理を構築することを特徴とする請求項１又は請求項２に記載の深層心理診断システム。
【発明の詳細な説明】
【技術分野】
【０００１】
本発明は、色による深層心理診断システムに関する。
【背景技術】
【０００２】
従来、カラーセラピー（所謂、色療法）として、被験者が選択した色を利用して、被験者の心理的、生理的状態を判定し、その判定を基礎にして被験者に心理療法を施すことが行われている。これらのカラーセラピーに共通するのは、被験者（カラーセラピーを受ける対象者であり、所謂、クライエント）に所定の色を視認させ、被験者が選択した色に基づいて試験者（所謂、カラーセラピスト）がカラーセラピーを行うものである。
【０００３】
カラーセラピーにおいては、一般に、複数（例えば、１２色）の異なる色で構成された複数のカラーサンプルの中から被験者に気になる色を直感で選択させ、被験者が選択した色に予め割り当てられたメッセージ（意味）を、試験者（カラーセラピスト）が分析判断して被験者に伝えることで、被験者が自身の深層心理と向き合うことができるようにすることで行われる。このように、従来のカラーセラピーは、色を媒体として被験者からの反応を試験者が判断し、被験者の深層心理を試験者自身が分析告知している。
【０００４】
かかる従来のカラーセラピーとして、試験者の代わりに被験者の心理的、生理的な診断情報を診断情報提供装置に予め記憶しておき、被験者が選択した色の順位に対して、予め記憶された被験者の心理的、生理的な診断情報を、診断情報提供装置から被験者に提示する色診断システムが開示されている（特許文献１参照。）。
【先行技術文献】
【特許文献】
【０００５】
【特許文献１】特開２００６―０７５２９４号公報
【発明の概要】
【発明が解決しようとする課題】
【０００６】
しかしながら、特許文献１に開示されている技術は、被験者が選択した色の順位に対して、予め記憶された被験者の生理的・心理的な診断情報を診断情報提供装置から被験者に提示するだけのものであり、被験者は提示される診断情報に対して自己の心理深層を自分で分析して理解しなければならないため、被験者の心理的、性格的、環境的な障害により自己の心理深層が正確に表現されないことが多く、色を媒体とした心理深層の分析が正確に行えないおそれがあった。
【０００７】
本発明は、上記課題を解決するために、特定の色を媒体として、被験者自身が選択した色に対して感じた自己の感情を、被験者自身の言葉で表現できるようにして、この被験者自身が表現した言葉により被験者の深層心理の診断情報を構築して被験者に提示することで、被験者が心理的、性格的、環境的な障害に干渉されることなく、被験者自身が表現した自己の言葉による診断情報によって自身の深層心理を認識することで、心理療法が可能となるように構成した深層心理診断システムを提供することを目的とする。
【課題を解決するための手段】
【０００８】
この発明は、試験者が運用するサーバと、被験者が使用する被験者端末と、を公衆通信回線網により相互に通信可能に接続して構成した深層心理診断システムにおいて、前記サーバは、予め試験者が用意した心理療法に応じた複数の診断項目から被験者が選択した診断項目を取得する診断項目取得手段と、赤色、橙色、黄色、緑色、青色、藍色、紫色、桃色、黒色、白色、金色、銀色の１２色の異なる色でそれぞれ着色された１２枚のカラープレートと、前記診断項目毎に予め設定されている複数の質問事項とを被験者に提示し、前記質問事項に対する回答として前記１２枚のカラープレートから被験者が選択したカラープレートの色を取得する色情報取得手段と、被験者が選択したカラープレートの色に対する被験者の印象を取得する色印象取得手段と、取得した被験者の印象に基づいて被験者の深層心理を構築する深層心理構築手段と、前記深層心理構築手段により構築した被験者の深層心理を、被験者に提示する深層心理提示手段と、を備え、前記被験者端末は、心理療法に応じた複数の診断項目の中から被験者が所望する診断項目を選択する診断項目選択手段と、前記１２枚のカラープレートから前記複数の質問事項に対する回答として、被験者がふさわしいと感じた色のカラープレートを選択する色選択手段と、被験者が選択したカラープレートの色に対する被験者の印象を被験者自身の言葉で回答する色印象回答手段と、前記サーバから提示された被験者の深層心理を表示する深層心理表示手段と、を備え、被験者自身の言葉で構築された被験者の深層心理を被験者自身が認識することで、被験者の心理療法を行うことを特徴とする深層心理診断システムとした。
【０００９】
また、試験者が使用する試験者端末をさらに備え、前記被験者端末は、前記サーバ及び前記被験者端末と公衆通信回線網により相互に通信可能に接続されており、前記試験者端末は、前記サーバが有する前記診断項目取得手段、前記色情報取得手段、前記色印象取得手段、前記深層心理構築手段、前記深層心理提示手段を備え、前記被験者端末と前記試験者端末との間で実行される前記診断項目取得手段、前記色情報取得手段、前記色印象取得手段、前記深層心理構築手段、前記深層心理提示手段、前記診断項目選択手段、前記色選択手段、前記色印象回答手段を、試験者がモニタリング可能としたことを特徴とする。
【００１０】
また、前記深層心理構築手段は、被験者が選択した色に対する被験者の印象として取得した被験者自身の言葉だけで被験者の深層心理を構築することを特徴とする。
【発明の効果】
【００１１】
本発明は、試験者が運用するサーバと、被験者が使用する被験者端末と、を公衆通信回線網により相互に通信可能に接続して構成した深層心理診断システムにおいて、試験者が予め設定した心理療法に応じた複数の診断項目の中から被験者が所望する一つの診断項目を選択する。被験者が選択した診断項目には、診断項目毎に複数の質問事項が予め設定されている。被験者はこの複数の質問事項への回答として、赤色、橙色、黄色、緑色、青色、藍色、紫色、桃色、黒色、白色、金色、銀色の１２色の異なる色でそれぞれ着色された１２枚のカラープレートから、被験者自身の第一印象や直観等に従ってカラープレートを選択する。その後、被験者が選択したカラープレートの色に対する被験者の印象を質問し、被験者は、自身が選択したカラープレートの色に対する被験者の印象を被験者自身の言葉で回答する。そして、被験者が自身の言葉で回答（表現）した被験者の印象に基づいて、診断項目に応じた被験者の深層心理の診断情報を構築して被験者に提示する。このようにすることで、被験者は、提示された被験者自身の言葉に基づいて構築された被験者の深層心理の診断情報を被験者自身が認識することになるので、被験者自らが自身の心理状態を知ることができ、心理療法とすることができる。
【００１２】
すなわち、診断項目に応じて設定された複数の質問事項に対して、赤色、橙色、黄色、緑色、青色、藍色、紫色、桃色、黒色、白色、金色、銀色の１２色の異なる色でそれぞれ着色されたカラープレートのうちからいずれかの色で着色されたカラープレートを被験者が選択する際に、すでに被験者は自己の深層心理を認識することなく表現したことになる。この状態は、色をツールとした自己投影状態そのものである。そして、被験者が選択した色に対する被験者の印象を被験者自身の言葉で回答させることで、被験者の回答の中に被験者の深層心理が確実に反映されることになる。
【００１３】
このように、被験者が選択した色の被験者の印象を被験者自身の言葉で表現させ、それを被験者に提示することで、言葉を使った問いかけ（例えば、試験者と被験者によるカウンセリング等）による心理療法と比較して、より被験者の深層心理に働きかけることができ、自分でも気づかない被験者自身の本音を、被験者自身が表現した言葉から認識させることになる。換言すれば、被験者の選んだ色に対する被験者の印象が被験者の深層心理を教示してくれることになる。
【００１４】
本発明によれば、被験者が選択した心理療法の診断項目に応じた複数の質問事項に対して被験者が選択した色に対する被験者の印象を、被験者が被験者自身の言葉で表現することで、この被験者の印象を表現した被験者自身の言葉から被験者の深層心理の診断情報を構築することができる。そして、被験者は、被験者自身の言葉で表現された被験者の深層心理の診断情報を認識することで、被験者自身の深層心理にある答えに気付くことができ、被験者自身の深層心理を特定及び分析することができることになり、これを基にして被験者の心理療法を正確に行える効果がある。
【００１５】
そして、選ぶ色中に特に金色、銀色などの通常のカラーセラピーではあまり用いない特別の色を取り入れているために、被験者の微妙でデリケートな己れの心情や深層心理を色に託すことができ、被験者の選択幅を広げてより正確に被験者の心理状態を言葉で表すことができ、その被験者の言葉が被験者の深層心理として自分自身に納得できる心理分析をすることができる。
【００１６】
また、試験者が使用する試験者端末をさらに備え、被験者端末は、サーバ及び被験者端末と公衆通信回線網により相互に通信可能に接続されており、試験者端末は、サーバが有する診断項目取得手段、色情報取得手段、色印象取得手段、深層心理構築手段、深層心理提示手段を備え、被験者端末と試験者端末との間で実行される診断項目取得手段、色情報取得手段、色印象取得手段、深層心理構築手段、深層心理提示手段、診断項目選択手段、色選択手段、色印象回答手段を、試験者がモニタリング可能としている。
【００１７】
すなわち、サーバを運用する試験者（カラーセラピスト）が、サーバと被験者端末との間で実行されるカラーセラピーを、サーバと同様な機能を備えた試験者端末と被験者端末との間で実行し、カラーセラピーの進捗状況を試験者端末の表示装置等に表示することで試験者がモニタリングすることができるようにしている。これにより、試験者が予めサーバに設定してある被験者に提供する複数の診断項目や、この複数の診断項目毎の複数の質問事項等の見直しや変更を検討することができ、本発明の深層心理診断システムを進化させることができる。
【００１８】
また、上述した深層心理構築手段は、被験者が選択した色に対する被験者の印象として取得した被験者自身の言葉だけで被験者の深層心理を構築することができる。つまり、被験者が選択した色に対する被験者の印象として表現された被験者自身の言葉だけを用いて、何ら手を加えることなく、より具体的に説明すると、被験者自身の言葉をオウム返しすることで、診断項目に応じた被験者の深層心理の診断情報を構築して被験者に提示する。これにより、被験者は、被験者自身の言葉でのみ構成された被験者の深層心理の診断情報を認識することとなり、被験者自身の深層心理にある答えを明確に認識することができる。
【図面の簡単な説明】
【００１９】
【図１】本実施形態の深層心理診断システムの構成を示す図である。
【図２】本実施形態の深層心理診断システムのサーバの構成を説明する図である。
【図３】本実施形態の深層心理診断システムの動作を説明するフローチャートである。
【図４】本実施形態の深層心理診断システムの動作を説明するフローチャートである。
【図５】本実施形態の深層心理診断システムの動作を説明するフローチャートである。
【図６】本実施形態の深層心理診断システムの動作を説明するフローチャートである。
【図７】本実施形態の深層心理診断システムの被験者端末に表示される診断項目選択画面を説明する図である。
【図８】本実施形態の深層心理診断システムの被験者端末に表示される色選択画面を説明する図である。
【図９】本実施形態の深層心理診断システムの被験者端末に表示される質問事項の表示画面を説明する図である。
【図１０】本実施形態の深層心理診断システムの被験者端末に表示される最終質問事項の表示画面を説明する図である。
【図１１】本実施形態の深層心理診断システムの被験者端末に表示される被験者の印象の表示画面を説明する図である。
【図１２】本実施形態の深層心理診断システムの被験者端末に表示される被験者の印象の表示画面を説明する図である。
【図１３】本実施形態の深層心理診断システムの被験者端末に表示される被験者の深層心理の表示画面を説明する図である。
【図１４】本実施形態の深層心理診断システムの被験者端末に表示される被験者の印象の表示画面を説明する図である。
【図１５】本実施形態の深層心理診断システムの被験者端末に表示される被験者の印象の表示画面を説明する図である。
【図１６】本実施形態の深層心理診断システムの被験者端末に表示される本日の結論の表示画面を説明する図である。
【図１７】本実施形態の深層心理診断システムの被験者端末に表示される被験者の具体的な行動の入力画面を説明する図である。
【図１８】本実施形態の深層心理診断システムの被験者端末に表示される被験者の具体的な行動の表示画面を説明する図である。
【図１９】本実施形態の深層心理診断システムの診断項目に応じた複数の質問事項を説明する図である。
【図２０】本実施形態の深層心理診断システムの診断項目に応じた複数の質問事項を説明する図である。
【発明を実施するための形態】
【００２０】
以下、本実施形態にかかる深層心理診断システムの一例について、図１〜図２０を参照して説明する。
【００２１】
［深層心理診断システムの概要］
まず、本実施形態における深層心理診断システムの構成の概要を、図１を参照して説明する。本実施形態における深層心理診断システム１は、試験者（カラーセラピスト）が運用するサーバ１００と、被験者（カラーセラピーを受ける対象者であり、所謂、クライエント）が使用する被験者端末２００と、試験者が使用する試験者端末３００とが、公衆通信回線網５００により相互に通信可能に接続されて構成されている。なお、サーバ１００、試験者端末３００としては、周知のコンピュータ（パソコン等）が好適に用いられる。被験者端末２００としては、周知のコンピュータ（デスクトップパソコンやノートパソコン等）や携帯移動端末（スマートフォンやタブレット端末等）が好適に用いられる。また、公衆通信回線網５００は、周知のインターネット回線や携帯電話回線等である。
【００２２】
本実施形態における深層心理診断システム１は、被験者が被験者端末２００を使用して、公衆通信回線網５００を介して試験者が運用するサーバ１００のカラーセラピーサイトにアクセス（つまり、接続）することで開始される。このサーバ１００におけるカラーセラピーサイトは試験者が管理運用するサイトであり、例えば、被験者は予め被験者端末２００によりサーバ１００のカラーセラピーサイトに会員登録するとともに、この会員登録時にサーバ１００から被験者に発行されるパスワード（会員番号）を入手しておき、以後、このパスワードを用いてサーバ１００のカラーセラピーサイトにアクセスする。つまり、周知のインターネット等の会員サイトにおけるアクセス手順が好適に用いられる。以下、本実施形態おいてサーバ１００と被験者端末２００との間で実行される深層心理診断システムの概要を具体的に説明する。
【００２３】
被験者が被験者端末２００によりサーバ１００のカラーセラピーサイト（以下、サーバ１００という。）にアクセスすると、サーバ１００は、試験者が予め用意してサーバ１００に記憶されている心理療法に応じた複数の診断項目（図７参照）を被験者端末２００に送信する。被験者端末２００は、心理療法に応じた複数の診断項目を受信すると、被験者端末２００の表示手段（図示しない液晶表示装置等）に表示する。被験者が被験者端末２００の表示手段に表示された複数の診断項目の中から被験者が診断を所望する一つの診断項目を選択（診断項目選択手段）すると、被験者端末２００は、被験者が選択した診断項目をサーバ１００に送信する。
【００２４】
サーバ１００は、被験者が選択した診断項目を受信（診断項目取得手段）すると、赤色、橙色、黄色、緑色、青色、藍色、紫色、桃色、黒色、白色、金色、銀色の１２色の色がそれぞれ着色された１２枚のカラープレートとからなる色選択画面（図９のカラープレート選択画面６０参照）と、被験者が選択した診断項目に応じた複数の質問事項（図９のテキストデータ６１参照）とを被験者端末２００に送信する。本実施形態においては、心理療法に応じた複数の診断項目毎に複数の質問事項（図１９及び図２０参照）が予め用意されている。
【００２５】
被験者は、被験者端末２００で受信して被験者端末２００の表示装置（例えば、液晶表装置等）に表示された質問事項（図９のテキストデータ６１参照）に対する回答として、同じく被験者端末２００の表示装置に表示された色選択画面（図９のカラープレート選択画面６０参照）のなかから、被験者が自身の直観的印象に基づいた色のカラープレートを選択する（色選択手段）。ここで被験者により選択されたカラープレートの色情報は、被験者端末２００からサーバ１００に送信される。すなわち、本実施形態における複数の診断項目毎応じて設定された複数の質問事項は、質問に対する回答として被験者が直観的印象に基づいて色を選択する構成としている。なお、質問事項に対する回答として被験者が選択する色の数は一色に限定されるものではなく、例えば、二色や三色或いはそれ以上の数の色を同時に選択してもよい。
【００２６】
サーバ１００は、被験者端末２００より被験者が選択したカラープレートの色情報を受信（色情報取得手段）すると、受信した色情報に基づいて、被験者が選択した色に対する被験者の印象を質問する選択理由質問画面（図１１参照）を被験者端末２００に送信する。この選択理由質問画面は、被験者が複数の質問事項に対する回答として１２色の色で着色された１２枚のカラープレートから、被験者が直観的に自己の印象に基づいて選択したカラープレートの色に対する被験者の印象を問うものである。ここで、被験者が選択した色に対する被験者の印象とは、例えば、被験者の心に選択した色が与える直接的な印象の事である。なお、本実施形態においては、上述したように、質問事項に対する回答として被験者が複数の色を選択する場合がある。この場合は、被験者が選択した複数の色毎に被験者の印象を問うこともできるし、また、被験者が選択した複数の色の全体に対する被験者の印象を問うこともできる。また、被験者に選択した複数の色毎の印象又は選択した複数の色に対する全体的な印象とのどちらの回答をするか被験者の感性に委任することもできる。
【００２７】
被験者端末２００は、サーバ１００から送信された選択理由質問画面を受信すると、この選択理由質問画面を被験者端末２００の表示装置に表示する。被験者は、被験者端末２００の表示装置に選択理由質問画面（図１２参照）が表示された状態で、選択した色に対する被験者の印象を被験者自身の言葉で回答（色印象回答手段）する。この被験者が選択した色に対する被験者の印象は、例えば、被験者端末２００の外部入力装置（図示しないキーボード等）により被験者自身が自分の言葉を入力することで実行される。被験者端末２００は、所定のフォームで表示された選択理由質問画面において、被験者が入力した選択した色に対する被験者の印象をサーバ１００に送信する。
【００２８】
サーバ１００は、被験者端末２００より被験者が選択した色に対する被験者の印象を受信（色印象取得手段）すると、受信した被験者の印象から被験者自身の言葉に基づいて被験者の深層心理の診断情報（図１３参照）を構築（深層心理構築手段）する。この被験者の深層心理の診断情報の構築は、詳細は後述するが、被験者が自身の言葉で回答した被験者の印象から、被験者自身の言葉により表現された特定の言葉（例えば、形容詞等）をピックアップして、このピックアップした特定の言葉により被験者の深層心理の診断情報が構築される。サーバ１００は、構築した被験者の深層心理の診断情報を、被験者端末２００に送信（深層心理提示手段）する。
【００２９】
被験者端末２００は、サーバ１００からの被験者の深層心理の診断情報を受信すると、この診断情報（図１３参照）を被験者端末２００の表示装置に表示（深層心理表示手段）する。被験者は、被験者端末２００に表示された、被験者自身の感性で表現した言葉から構築された被験者の深層心理の診断情報を認識することで、被験者自身の深層心理にある答えに気付くことができ、被験者自身の深層心理を特定及び分析することができることになり、これを基にして被験者の正確な心理療法を行うことができる。
【００３０】
なお、上述した各手段は、サーバ１００の各種手段を実行する各種プログラムにより、サーバ１００と被験者端末２００との間で自動的に実行されるものであるが、本実施形態においては、試験者（例えば、カラーセラピスト）が操作する試験者端末３００と被験者端末２００との間で実行することもできる。この場合は、試験者端末３００にサーバ１００と同じ機能（各種手段）を持たせることで実行可能となる。これにより、サーバを運用する試験者が、通常は、サーバ１００と被験者端末２００との間で実行される各種手段（例えば、被験者による色選択手段や色印象回答手段等）によるカラーセラピーの状況を試験者端末３００でモニタリングすることができる。
【００３１】
このように試験者がサーバ１００と被験者端末２００との間で実行されるカラーセラピーの状況を試験者端末３００でモニタリングすることで、試験者は、被験者による複数の診断項目の選択状況や、この複数の診断項目毎に予め設定している複数の質問事項に対する回答状況等を把握することができ、予め試験者がサーバ１００に設定した複数の診断項目や複数の質問事項に対して、見直しや変更を検討することができ、本発明の深層心理診断システム１をより効果の高いカラーセラピー（所謂、色療法）として進化させることができる。
【００３２】
［深層心理診断システムのサーバの構成］
以下、図２を参照して、本実施形態の深層心理診断システム１におけるサーバ１００の構成を説明する。
【００３３】
サーバ１００は、記憶部１１０、入出力制御部１２０、制御部１３０、外部通信Ｉ／Ｆ（ＩｎｔｅｒＦａｃｅ）制御部１４０などから構成されている。
【００３４】
記憶部１１０は、ＨＤＤ（Ｈａｒｄ  Ｄｉｓｋ  Ｄｒａｉｖｅ）などにより構成され、本実施形態における被験者により選択される複数の診療項目（図７参照）、複数の診断項目毎に予め用意された複数の質問事項（図１９、図２０参照）、赤色、橙色、黄色、緑色、青色、藍色、紫色、桃色、黒色、白色、金色、銀色の１２色の色で着色された１２枚のカラープレートとからなる色選択画面（図９参照）等を記憶している。また、被験者が操作する被験者端末２００からの、被験者が選択した診断項目に予め設定されている複数の質問事項の回答として被験者が選択した色情報や被験者が選択した色に対する被験者の印象等が記憶されている。
【００３５】
入出力制御部１２０は、サーバ１００に接続されている図示しない液晶表示装置（出力装置）や、キーボード／マウス（入力装置）などの入出力装置を制御する。
【００３６】
制御部１３０は、図示しないＣＰＵ（中央演算装置）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどで構成されている。また、この制御部１３０のＣＰＵは、ＲＯＭ及び記憶部１１０に予め記憶されている各種プログラムを実行することにより、被験者端末２００と試験者端末３００との間で行われる各種手段（診断項目取得手段、色情報取得手段、色印象取得手段、深層心理構築手段、深層心理提示手段等）が実行される。
【００３７】
外部通信Ｉ／Ｆ制御部１４０は、外部の公衆通信回線網５００と接続され、制御部１３０の指示に基づいて、深層心理診断システム１における被験者端末２００及び試験者端末３００との通信を制御する。
【００３８】
［深層心理診断システムの第一実施形態］
本発明の深層心理診断システム１の第一実施形態について、図３、図４及び図７〜図２０を用いて説明する。本実施形態においては、被験者が被験者端末２００によりサーバ１００で運用するカラーセラピーサイトにアクセスすることで、専門のカラーセラピーを行う試験者（カラーセラピスト）が運用するサーバ１００において、予め設定（プログラミング）されている各種手段が実行され、カラーセラピー（以下、アクティブカラーセラピーともいう）が開始されることになる。なお、被験者は予め被験者端末２００によりサーバ１００のカラーセラピーサイトにアクセスして会員登録すると、サーバ１００のカラーセラピーサイトから被験者にパスワード（会員番号、ＩＤ番号等）が発行される。以後、被験者はパスワードを用いてサーバ１００のカラーセラピーサイトにアクセスする。
【００３９】
図３及び図４に示すように、被験者は使用する被験者端末２００により、試験者（カラーセラピスト）がサーバ１００で運用しているカラーセラピーサイトにアクセスする（ステップＳ０１）と、サーバ１００は、カラーセラピーサイトを構成する複数の診断項目なかから被験者が所望する診断項目を選択するための診断項目選択画面を被験者端末２００に送信する（ステップＳ０２）。
【００４０】
被験者端末２００は、受信した診断項目選択画面を被験者端末２００の表示装置（例えば、図示しない液晶表示装置等）に表示する（ステップＳ０３）。図７に示すように、被験者端末２００の表示装置の表示画面２０１には、サーバ１００から送信された複数の診断項目により構成された診断項目選択画面が表示される。この診断項目選択画面は、名称１０「ＡＣＴＩＶＥ  ＣＯＬＯＲ  ＴＨＥＲＡＰＹ（アクティブカラーセラピー）」、ＵＲＬ２０、診断項目一覧３０、上下スクロールバー４０、左右スクロールバー４１、マウスのカーソル５０で構成されている。この状態で、被験者が診断項目一覧３０の中から診断を所望する診断項目３２にマウスのカーソル５０を移動させてクリック、又は、キーボード等で診断を所望する診断項目番号３１を入力すると、被験者が診断を所望する診断項目が選択されて被験者端末２００からサーバ１００に送信される。
【００４１】
図７の診断項目一覧３０に示すように、本実施形態における深層心理診断システム１は、予め被験者が設定した複数の診断項目を備えている。図７の診断項目一覧３０は、診断項目番号３１、診断項目３２、診断項目概要３３で構成されている。診断項目番号３１は複数の診断項目毎に付された項番であり、診断項目３２は複数の診断項目名である。また、診断項目概要３３は診断項目３２のそれぞれの概要を示している。この診断項目一覧３０は、あくまで深層心理診断システム１における複数の診断項目の一例であり、試験者が色による深層心理診断システム１において、複数の診断項目を設定する際に適宜変更可能である。
【００４２】
被験者端末２００は、被験者が選択した診断項目をサーバ１００に送信する（ステップＳ０４）。このステップＳ０３及びステップＳ０４の処理が本実施形態における診断項目選択手段である。サーバ１００は、被験者端末２００から被験者が選択した診断項目を受信する（ステップＳ０５）。このステップＳ０２〜ステップＳ０５の処理が本実施形態における診断項目取得手段として機能する。
【００４３】
サーバ１００は、被験者が選択した診断項目を受信すると、診断項目に応じた色選択画面を被験者端末２００に送信する（ステップＳ０６）。被験者端末２００は、受信した色選択画面を被験者端末２００の表示画面２０１に表示する（ステップＳ０７）。この色選択画面は、図８に示すように、名称１０、ＵＲＬ２０、１２色（赤色、橙色、黄色、緑色、青色、藍色、紫色、桃色、黒色、白色、金色、銀色）の異なる色がそれぞれ着色された１２枚のカラープレート選択画面６０、カラープレートの選択の方法や複数の質問事項を表示するテキストデータ６１、上下スクロールバー４０、左右スクロールバー４１、マウスのカーソル５０で構成されている。なお、以下の説明では、深層心理診断システム１が予め用意している複数の診断項目一覧３０から「２  ベーシック・コース」（図７参照）を被験者が選択した場合を一例として説明する。
【００４４】
なお、図８に示すカラープレート選択画面６０おける１２色の異なる色がそれぞれ着色された１２枚のカラープレートは、一例として、円盤状に形成されたカラープレートを用いて表示しているが、本実施形態のカラープレートの形状は円盤状に限定されるものではなく、被験者が色を選択する場合に落ち着いて選択できる形状、例えば、星形状、菱形状、キャラクター等の様々な形状のカラープレートを用いることができる。また、図８に示すカラープレート選択画面６０は、発明者の長年にわたる治験データによって被験者の多種な心理状態をほぼすべて表現できる１２色の異なる色を選択可能としたものである。
【００４５】
テキストデータ６１には、例えば、「マウスのカーソルを選択したカラープレートに置いてダブルクリックするか、キーボードの数字キーでカラープレートの下の番号を入力することで、カラープレートを選択することができます。」等のテキストデータ６１を表示する。このように、被験者に対するメッセージをテキストデータ６１に表示することで、被験者が色を選択するときの具体的な方法を説明することができるようにしている。
【００４６】
また、テキストデータ６１には、例えば、「色は自分の鏡と思って、今から行う以下の複数の質問項目の回答としてふさわしいと感じる色のカラープレートを選択して下さい。」等のテキストデータを表示することができる。このように、被験者に対するメッセージをテキストデータ６１に表示することで、被験者が色を選択するときの気持ちを落ち着かせることができ、より正確な被験者の深層心理の診断結果が得られるようになる。
【００４７】
本実施形態においては、複数の診断項目毎に質問内容及び質問数が異なる複数の質問事項が予め試験者により設定されている。そして、この複数の診断項目毎に予め設定されている複数の質問事項は、被験者がカラープレート選択画面６０に表示されている１２色の異なる色がそれぞれ着色された１２枚のカラープレートから質問事項の回答としてふさわしいと感じる色のカラープレートを任意に選択することで回答できるように構成されている。
【００４８】
複数の質問事項の一例としては、図１９に示すように、「ベーシック・コース」においては、質問事項１「今の自分と思える色は？」、質問事項２「なりたい自分と思える色は？」、質問事項３「なりたい自分をサポートしてくれる色は？」、質問事項４「なりたい自分になるのを妨げている色は？」、質問事項５「妨げを取り除いてくれる色は？」、という５つの質問事項が予め設定されている。
【００４９】
また、図２０に示すように、「８  対人関係・コース」においては、質問事項１「相手の現状と思える色は？」、質問事項２「相手にこうあって欲しい理想の状態と思える色は？」、質問事項３「その相手にとって、今の自分の状態と思える色は？」、質問事項４「相手に理想の状態（つまり、質問事項２）になってもらう為にサポートが出来る自分と思える色は？」、質問事項５「サポートできる自分になれる為に必要な色は？」、質問事項６「サポートできる自分になる事を妨げている色は？」、質問事項７「妨げを取り除くための色は？」、質問事項８「１〜７の質問事項に対して選択した色をシャッフルして感じた色は？」、質問事項９「まとめ（結論）の色は？」、という９つの質問事項が予め設定されている。
【００５０】
そして、図９に示すように、被験者が複数の診断項目から２番目の「ベーシック・コース」（図７参照）を選択した場合は、最初に、１２色の異なる色で着色された１２枚のカラープレート選択画面６０と、一番目の質問事項（質問事項１）である「今の自分と思える色は？」というテキストデータ６１が被験者端末２００の表示画面２０１に色選択画面として表示される（ステップＳ０７）。この色選択画面が表示された状態で、被験者は、カラープレート選択画面６０から、テキストデータ６１に表示された質問事項に対する回答としてふさわしいと感じた色で着色されたカラープレートを直観的に判断して選択する。
【００５１】
具体的には、被験者は、テキストデータ６１に表示された質問事項に対する回答としてふさわしいと感じた色のカラープレートをカラープレート選択画面６０から選択し、マウスのカーソル５０を選択したカラープレートに移動させて重ねてクリック、又は、選択したカラープレートの下方に紐づけられた０１〜１２までの番号をキーボードにより入力する。そして、カラープレートの選択を終了すると、決定ボタン７２をクリックする。上述したように、本実施形態においては、質問事項に対しする回答として被験者が複数の色のカラープレートを選択する場合がある。このため、被験者が一つ若しくは複数の色のカラープレートを選択した後に、決定ボタン７２をクリックすることで、被験者によるカラープレートの色の選択を終了するようにしている。これにより、質問事項に対する回答として被験者が選択したカラープレートの色情報が、被験者端末２００からサーバ１００に送信される（ステップＳ０８）。上述したステップＳ０７〜ステップＳ０８の処理が、本実施形態における色選択手段として機能することになる。
【００５２】
サーバ１００は、被験者端末２００から受信した質問事項に応じて被験者が選択した色情報を受信する（ステップＳ０９）。サーバ１００は、被験者端末２００から受信したカラープレートの色情報を複数の質問事項に応じてサーバ１００の記憶部１１０（図２参照）に色情報として記憶する（ステップＳ１０）。このステップＳ０９〜ステップＳ１０の処理が、本実施形態における色情報取得手段として機能することになる。
【００５３】
サーバ１００は、被験者が選択した診断項目に予め設定されている複数の質問事項に対する被験者からの回答を全て取得（つまり、質問事項終了）したか否かを判別（ステップＳ１１）し、サーバ１００は、質問事項終了であると判別した場合（ステップＳ１１：Ｙｅｓ）はステップＳ１２へ処理を移す。一方、質問事項終了ではないと判別した場合（ステップＳ１１：Ｎｏ）はステップＳ０６へ処理を移し、被験者が選択した診断項目に予め設定されている複数の質問事項の送信を、全ての質問事項が終了するまで繰り返す。
【００５４】
具体的には、サーバ１００は、被験者端末２００から質問事項１に対する色情報を取得すると、カラープレート選択画面６０と、二番目の質問事項（質問事項２）である「なりたい自分と思える色は？」というテキストデータ６１を被験者端末２００に送信（ステップＳ０６）する。すなわち、サーバ１００及び被験者端末２００は、上述した被験者端末２００における色選択手段（ステップＳ０７〜ステップＳ０８）、サーバ１００における色情報取得手段（ステップＳ０９〜ステップＳ１０）を、診断項目毎に予め設定された複数の質問事項（「２  ベーシック・コース」においては５個（図１９参照）、「８  対人関係・コース」においては９個（図２０参照））に対する被験者からの回答を全て取得するまで繰り返す。
【００５５】
被験者が選択した診断項目に予め設定されている複数の質問事項に対する被験者による色の選択が終了すると、サーバ１００は複数の質問事項に対して被験者が選択した色に対する被験者による印象入力画面を被験者端末２００に送信する（ステップＳ１２）。つまり、サーバ１００は、被験者端末２００を使用する被験者に対して、被験者が複数の質問事項に対する回答として被験者が選択した色に対する被験者の印象（以下、単に被験者の印象ともいう。）を質問する。
【００５６】
上述したように、診断項目２番の「ベーシック・コース」は、５つの質問事項で構成されている。ここで、この５つの質問事項に対しての被験者が選択した色は、質問事項１に対しては「オレンジ色」、質問事項２に対しては「水色」、質問事項３に対しては「緑色」、質問事項４に対しては「ゴールド」、質問事項５に対しては「黄色」という回答が得られたとする。そして、質問事項１〜５の全ての回答に対して被験者が選択した色に対する被験者の印象を質問する。
【００５７】
図１１に示すように、ステップＳ１２においてサーバ１００から被験者端末２００に送信される印象入力画面は、この印象入力画面を受信した被験者端末２００の表示画面２０１に表示される（ステップＳ１３）。この印象入力画面は、名称１０、ＵＲＬ２０、被験者の印象を問うテキストメッセージ７０、被験者の印象を入力する回答入力エリア７１、決定ボタン７２、上下スクロールバー４０、左右スクロールバー４１、マウスのカーソル５０で構成されている。
【００５８】
図１１に示す印象入力画面では、質問事項５に対して被験者が選択した黄色に対する被験者の印象を問うテキストメッセージ７０「黄色はどのような感じがしますか？」が表示され、被験者が選択した色の印象を入力する回答入力エリア７１は回答前の空欄となっている。
【００５９】
図１２に示すように、被験者端末２００を使用する被権者は、被験者端末２００の表示画面２０１に印象入力画面が表示されている状態で、被験者端末に付設されたキーボード（図示せず）等を用いて、回答入力エリア７１に被験者の印象を入力する。被験者が被験者の印象（例えば、明るい、太陽の色、前向き、活動的）を入力した後に、決定ボタン７２をマウス等でクリックすると、被験者端末２００から回答入力エリア７１に入力された被験者の印象がサーバ１００に送信される（ステップＳ１４）。このステップＳ１３〜ステップＳ１４の処理が、本実施形態における色印象回答手段として機能する。
【００６０】
なお、本実施形態においては、上述したように、質問事項に対する回答として被験者が複数の色を選択する場合がある。この場合は、被験者が選択した複数の色毎に上記印象入力画面を表示して、被験者が選択した複数の色毎の印象を問うこともできる。また、被験者が選択した複数の色の全体に対して、被験者が選択した複数の色の全体の印象を問うこともできる。さらに、例えば、テキストメッセージ７０「選択した色に対してどのような感じがしますか？」を表示して、被験者が選択した複数の色毎に対する被験者の印象と、選択した複数の色に対する全体的な被験者の印象とのどちらの回答をするかの判断を被験者に委ねてもよい。
【００６１】
サーバ１００は、被験者端末２００から被験者が回答した被験者の印象を受信する（ステップＳ１５）。サーバ１００は、被験者端末２００から受信した被験者が選択した色に対する被験者の印象を複数の質問事項毎にサーバ１００の記憶部１１０（図２参照）に記憶する（ステップＳ１６）。このステップＳ１５〜ステップＳ１６の処理が、本実施形態における色印象取得手段として機能することになる。
【００６２】
サーバ１００は、被験者が選択した診断項目に応じた全ての質問事項に対する被験者の印象の取得が終了したが否かを判別する（ステップＳ１７）。サーバ１００は、被験者の印象の取得が全て終了したと判別した場合（ステップＳ１７：Ｙｅｓ）はステップＳ１８へ処理を移す。一方、被験者の印象の取得が全て終了していない判別した場合（ステップＳ１７：Ｎｏ）はステップＳ１２へ処理を移し、サーバ１００は、複数の質問事項に対して被験者が選択した色に対する被験者の印象を質問する印象入力画面の送信を、全ての質問事項に対する被験者が選択した色に対する被験者の印象の取得が終了するまで繰り返す。
【００６３】
本実施形態においては、上述したように被験者が複数の質問事項に対して、被験者が選択した色に対する被験者の印象を質問し、その被験者の印象を被験者自身の言葉で回答させるようにしている。以下に、「ベーシック・コース（自分を客観的に見つめ直して心の整理をする）」における５つの質問事項に対しての被験者が選択した色と、当該色に対する被験者の印象の回答例を示す。
【００６４】
質問事項（１）「今の自分と思える色」に対する被験者が選択した色が「橙色」の場合は、被験者に「橙（オレンジ）色はどのような感じがしますか？」という質問をする。これに対して、被験者から「太陽の色に近い、明るい感じである。」という回答が得られたとする。更に、「オレンジ色はどのような感じがしますか？」という質問をする。被験者から「食べ物である。」という回答が得られたとする。更に、「食べ物はどのような感じがしますか？」という質問をすると、被験者から「美味しいものを食べたい。」という回答が得られたとする。
【００６５】
質問事項（２）「なりたい自分と思える色」に対する被験者の色選択が「水色」の場合は、被験者に「水色はどのような感じがしますか？」という質問をする。これに対して、被験者から「海・空の色であり、落ち着く色。」という回答が得られたとする。
【００６６】
質問事項（３）「なりたい自分をサポートしてくれる色」に対する被験者の色選択が「緑色」の場合は、被験者に「緑色はどのような感じがしますか？」という質問をする。これに対して、被験者から「森、山、畑の感じがする。」という回答が得られたとする。更に「森はどのような感じがしますか？」という質問をする。被験者から「ゆったりできる、爽やか、空気が良い。」という回答が得られたとする。更に、「山はどのような感じがしますか？」という質問をする。被験者から「登らなきゃいけない。」という回答が得られたとする。更に「畑はどのような感じがしますか？」という質問をする。被験者から「野菜が植えてある。」という回答が得られたとする。
【００６７】
質問事項（４）「なりたい自分になるのを妨げている色」に対する被験者の色選択が「金色」の場合は、被験者に「金色はどのような感じがしますか？」という質問をする。これに対して、被験者から「乗り物の北陸新幹線の感じであり、華やかである。」という回答が得られたとする。
【００６８】
質問事項（５）「妨げを取り除いてくれる色」に対する被験者の色選択が「黄色」の場合は、被験者に「黄色はどのような感じがしますか？」という質問をする。これに対して、被験者から「明るい、太陽の色、前向き、活動的」（図１２参照）という回答が得られたとする。
【００６９】
このように、本実施形態における被験者からの被験者が選択した色に対する被験者の印象の取得は、被験者から取得した被験者の印象が抽象的な場合（例えば、質問事項（２））、又は、被験者が被験者の印象を複数回答した場合（例えば、質問事項（３））は、さらに被験者に対して被験者の印象を繰り返し質問することもできる。また、被験者が回答した被験者の印象から特定のキーワード（例えば、動詞、形容詞等）を抜粋して、被験者の印象から被験者の深層心理を構築できるまで繰り返すこともできる。このため、質問事項が５つの場合でも、５回以上試験者に対して被験者の印象の回答を求める場合がある。更に、被験者が無回答（つまり、被験者の印象の入力無）で被験者の印象を回答した場合でも、この無回答を被験者の印象として処理してもよい。
【００７０】
サーバ１００は、被験者端末２００から受信し、サーバ１００の記憶部１１０（図２参照）に記憶した被験者自身の言葉で回答した被験者の印象から特定のキーワード（例えば、動詞、形容詞等）を抜粋して被験者の深層心理を構築する。この処理では、被験者が選択した診断項目（この場合はベーシック・コース）に予め設定されている複数の質問事項に対する回答として被験者が選択した色に対する被験者自身の言葉で回答した被験者の印象から被験者の言葉を拾い出して、被験者の深層心理を構築する。そして、構築した被験者の深層心理を被験者端末２００に送信する（ステップＳ１８）。上述したステップＳ１８の処理が、被験者が複数の質問事項に対して選択した色に対する被験者の印象から被験者の深層心理を構築する深層心理構築手段及び深層心理提示手段として機能することになる。
【００７１】
被験者端末２００は、サーバ１００から受信した被験者の深層心理を、被験者端末２００の表示画面２０１に表示する（ステップＳ１９）。このステップＳ１９の処理が、被験者の深層心理を表示する深層心理表示手段として機能することになる。図１３に示すように、ステップＳ１９において被験者端末２００の表示画面２０１に表示される深層心理表示画面は、名称１０、ＵＲＬ２０、被験者に診断結果としての被験者の深層心理を表示する深層心理表示エリア８０、確認ボタン７３、上下スクロールバー４０、左右スクロールバー４１、マウスのカーソル５０で構成されている。
【００７２】
具体的には、図１３に示すように、被験者が選択した「ベーシック・コース（自分を客観的に見つめ直して心の整理をする）」の上述した質問事項（１）〜（５）に対して、被験者が選択した色に対する被験者の印象の回答から、深層心理表示エリア８０に、『今の自分は、太陽の下に近い、明るい感じであり、おいしいものを食べたい。なりたい自分は、落ち着きたい。なりたい自分をサポートしてくれるのは、ゆったりできる、爽やか、空気が良い、登らなきゃいけない、野菜が植えてあることがもともと好き。なりたい自分を妨げているものは、華やかなこと。妨げを取り除いてくれるのは、明るい、太陽の下。』という被験者自身の言葉で構築された被験者の深層心理が表示される。
【００７３】
これにより、被験者は、被験者が選択した質問項目（例えば、ベーシック・コース）における本発明のカラーセラピーの診断結果であるところの、被験者自身の言葉で構築された被験者の深層心理を、被験者端末２００の表示画面２０１において確認（自身の深層心理を把握）することができる。そして、被験者が被験者端末２００の表示画面２０１に表示された被験者自身の深層心理を確認した後、確認ボタン７３にマウスのカーソル５０を移動させてクリックすると、その旨がサーバ１００に送信（ステップＳ２０）される。
【００７４】
サーバ１００は、最終質問事項（本日の結論の色）とカラープレート選択画面６０で構成された色選択画面を被験者端末２００に送信する（ステップＳ２１）。図１０に示すように、１２色の異なる色で着色された１２枚のカラープレート選択画面６０と、最終質問事項である「本日の結論の色は？」というテキストデータ６１が被験者端末２００の表示画面２０１に色選択画面として表示される（ステップＳ２２）。この状態で、被験者は、カラープレート選択画面６０から、テキストデータ６１に表示された最終質問事項に対する回答として、最終質問事項にふさわしいと感じた色で着色されたカラープレートを直観的に判断して選択する。
【００７５】
このカラープレートの選択は、被験者がカラープレート選択画面６０から選択した色のカラープレート上に、マウスのカーソル５０を移動させてクリック、又は、選択したカラープレートの下方に紐づけられた０１〜１２までの番号をキーボードにより入力する。そして、カラープレートの選択を終了すると、決定ボタン７２をクリックする。本実施形態においては、最終質問事項に対して被験者が複数の色のカラープレートを選択する場合がある。このため、被験者が一つ若しくは複数の色のカラープレートを選択した後に、決定ボタン７２をクリックすることで、被験者によるカラープレートの色の選択を終了するようにしている。これにより、被験者端末２００から被験者が選択したカラープレートの色情報がサーバ１００に送信される（ステップＳ２３）。
【００７６】
サーバ１００は、被験者端末２００から受信した最終質問事項に応じて被験者が選択した色情報を受信して、サーバ１００の記憶部１１０（図２参照）に記憶する（ステップＳ２４）。サーバ１００は最終質問事項に対して取得した色の印象入力画面を被験者端末２００に送信する（ステップＳ２５）。この処理では、被験者が最終質問事項に対して選択した色の被験者の印象を問う。
【００７７】
被験者端末２００は、サーバ１００から受信した最終質問事項に対して被験者が選択した色の印象入力画面を被験者端末２００の表示画面２０１に表示する（ステップＳ２６）。ここで、この最終質問事項に対しての被験者が選択した色は「黄色」を選択したものとする。
【００７８】
図１４に示すように、被験者が最終質問事項に対して選択した色に対する被験者の印象を、被験者端末に付設されたキーボード（図示せず）等を用いて入力することで、被験者端末２００から被験者が最終質問事項に対して選択した色の被験者の印象がサーバ１００に送信される（ステップＳ２７）。この処理は、上述した質問事項１〜５の回答に対して被験者が選択した色に対する被験者の印象を質問する処理（ステップＳ１４）と同様な処理である。つまり、最終質問事項に対する回答として被験者が複数の色を選択する場合がある。このため、被験者が選択した複数の色毎に上記印象入力画面を表示して、被験者が選択した複数の色に対する印象を問うこともできる。また、被験者が選択した複数の色の全体に対して、被験者が選択した複数の色の全体の印象を問うこともできる。さらに、例えば、テキストメッセージ７０「本日の結論の色として選択した色に対してどのような感じがしますか？」を表示して、被験者が選択した複数の色毎の印象又は選択した複数の色に対する全体的な印象とのどちらの回答をしてもよいように、被験者に判断を委ねてもよい。
【００７９】
サーバ１００は、被験者端末２００から受信した最終質問事項に対して被験者が選択した色に対する被験者の印象を受信して記憶部１１０（図２参照）に記憶する（ステップＳ２８）。サーバ１００は、被験者端末２００から受信した、被験者の最終質問事項に対する被験者の印象のキーワードから被験者の深層心理（本日の結論）を構築して被験者端末２００に送信する（ステップＳ２９）。この処理においては、被験者の最終質問事項に対して選択した色に対する被験者の印象から被験者の深層心理を作成する。この処理は、上述したステップＳ１８の処理と同じ処置である。
【００８０】
本実施形態においては、上述したように被験者が最終質問事項に対して選択した色に対する被験者の印象を質問し、その回答として得られた被験者の言葉を、被験者の深層心理として被験者に開示すことで、被験者に対する心理療法を行うことができるようにしている。
【００８１】
すなわち、本実施形態における心理療法は、被験者自身の言葉から被験者の深層心理の結論を導き、その結論を行動に促すために必要なことを示すことである。そのために以下のような質問をして被験者の心理の結論を導きながら行動を促すために必要な指導をする。
【００８２】
最終質問事項である「今日の結論の色」に対して、被験者が「黄色」を選択していた場合、まず、図１４に示すように、被験者に「黄色を見てどのように感じますか？」という質問をする。これに対して、被験者は「明るいと感じる。」という被験者の印象を回答したとする。更に、図１５に示すように「明るいですね？」被験者の言葉をそのまま肯定すると、更に、被験者から「前向きである。」という回答を得られたとする。
【００８３】
被験者端末２００の表示画面２０１には、受信した最終質問事項（本日の結論）に対する被験者の深層心理が表示される（ステップＳ３０）。この処理は、上述したステップＳ１９の処理と同じ処置である。図１６に示すように、ステップＳ３０において被験者端末２００の表示画面２０１に表示される最終質問事項（本日の結論）に対する被験者の深層心理表示画面は、名称１０、ＵＲＬ２０、本日の結論としての被験者の深層心理を表示する深層心理表示エリア８０、確認ボタン７３、上下スクロールバー４０、左右スクロールバー４１、マウスのカーソル５０で構成されている。
【００８４】
具体的には、図１６に示すように、被験者が選択した「ベーシック・コース（自分を客観的に見つめ直して心の整理をする）」の上述した最終質問事項に対して被験者が選択した色に対する被験者の印象から、深層心理表示エリア８０に、『今日のあなたは、明るく前向きである。』という被験者自身の言葉で構築した被験者の深層心理が表示される。
【００８５】
これにより、被験者は、サーバ１００で分析され、被験者が選択した質問項目（例えば、ベーシック・コース）における本発明のカラーセラピーの最終質問事項における、被験者自身の言葉で構築された本日の結論としての被験者の深層心理を、被験者端末２００の表示画面２０１において確認（自身の深層心理を把握）することができる。そして、被験者が被験者端末２００の表示画面２０１に表示された被験者自身の深層心理を確認した後、確認ボタン７３にマウスのカーソル５０を移動させてクリックすると、その旨がサーバ１００に送信（ステップＳ３１）される。
【００８６】
サーバ１００は、本日の結論に沿った被験者の具体的行動問合せ画面を被験者端末２００に送信する（ステップＳ３２）。この被験者の具体的行動問合せ画面は、図１７に示すように、名称１０、ＵＲＬ２０、被験者に具体的行動を問うテキストメッセージ７０、被験者が具体的行動を入力する回答入力エリア７１、決定ボタン７２、上下スクロールバー４０、左右スクロールバー４１、マウスのカーソル５０で構成されている。
【００８７】
図１７に示す具体的行動問合せ画面では、被験者に具体的行動を問う「前向きになるためにすぐにできることはありますか？具体的に答えてください。」がテキストメッセージ７０に表示される。被験者が回答入力エリア７１に「目の前のことを解決していく、仕事：日々の事、家族：コミュニケーション、その時々で解決できなくても、残しながらも進んでゆく。」と入力した後に、決定ボタン７２をマウス等でクリックすると、被験者端末２００から回答入力エリア７１に入力された被験者の具体的行動がサーバ１００に送信される（ステップＳ３４）。
【００８８】
サーバ１００は、被験者端末２００からの被験者からの本日の結論に対する具体的行動を受信する（ステップＳ３５）。この結果から、本日の診断項目（ベーシック・コース）における被験者の具体的行動として、『本日の結論を行動に促すために必要なこと。目の前のことを解決していく、仕事：日々の事、家族：コミュニケーション、その時々で解決できなくても、残しながらも進んでゆく。』という被験者の深層心理に沿った行動に促すための結論が得られることになる。
【００８９】
サーバ１００は、被験者端末２００に、被験者の深層心理に沿った行動に促すための結論及び診断終了を、被験者端末２００に送信する（ステップＳ３６）。被験者端末２００は、受信した被験者の深層心理に沿った行動に促すための結論及び診断終了を被験者端末２００の表示画面２０１に表示する。
【００９０】
具体的には、図１８に示すように、被験者の深層心理に沿った行動に促すための結論及び診断終了として、深層心理表示エリア８０に、『本日の結論を行動に促すために必要なこと。目の前のことを解決していく、仕事：日々の事、家族：コミュニケーション、その時々で解決できなくても、残しながらも進んでゆく。』と、『これでベーシック・コースを終了します。』とが表示される。
【００９１】
被験者は、被験者が選択した診断項目（例えば、ベーシック・コース）において、被験者自身の言葉で構築された被験者の深層心理に沿った行動に促すための結論を、被験者端末２００の表示画面２０１において確認（自身の深層心理を把握）することができる。このように、本実施形態におけるカラーセラピーでは、被験者の言葉で構築された被験者の深層心理だけではなく、被験者の深層心理に沿った行動に促すための結論も被験者に認識させることができる。
【００９２】
被験者が被験者端末２００の表示画面２０１に表示された被験者の深層心理に沿った行動に促すための結論を確認した後、確認ボタン７３にマウスのカーソル５０を移動させてクリックすると、本実施形態における一連のカラーセラピーによる診断が終了する。この後は、診断終了を受信したサーバ１００は、上述したステップＳ０２の処理に戻り、再び被験者に他の診断項目を選択させてもよいし、サーバ１００の深層心理診断システムへの被験者端末２００のアクセスを遮断してカラーセラピーを終了させてもよい。
【００９３】
［深層心理診断システムの動作の第二実施形態］
本実施形態の深層心理診断システム１の動作の第二実施形態を、図５及び図６を用いて説明する。
【００９４】
この第二実施形態においても、上述した第一実施形態と同様に、被験者が被験者端末２００により専門のカラーセラピーを行う試験者（カラーセラピスト）が運用するサーバ１００にアクセスすることで、カラーセラピー（以下、アクティブカラーセラピーともいう）が開始されることになる。なお、以下の説明では、上述した第一実施形態と同様に、深層心理診断システム１が有している複数の診断項目からベーシック・コース（図７参照）を被験者が選択した場合を一例として説明する。
【００９５】
図５及び図６に示す各処理は、上述した第一実施形態と同様な処理であり、以下の説明では、上述した第一実施形態同じ処理の説明は省略し、異なる処理のみ説明する。
【００９６】
図５に示すように、被験者が使用する被験者端末２００により、サーバ１００にアクセス（ステップＳ０１）すると、サーバ１００は、試験者（カラーセラピスト）が使用している試験者端末３００に自動的にアクセス（ステップＳ０Ａ）して、被験者端末２００と試験者端末３００とを自動的に接続する。以下、上述した第一実施形態と同様なカラーセラピーを実行するための各種手段が、被験者端末２００と試験者端末３００との間で実行されることになる。
【００９７】
つまり、この第二実施形態においては、上述した第一実施形態において、サーバ１００と被験者端末２００との間で実行されるカラーセラピーが、試験者端末３００と被験者端末２００との間で実行されることになる。このような構成とすることで、サーバ１００を運用する試験者は、被験者端末２００と試験者端末３００との間で実行される各種手段（診断項目取得手段、色情報取得手段、色印象取得手段、深層心理構築手段、深層心理提示手段、診断項目選択手段、色選択手段、色印象回答手段等）の実行状況を試験者端末３００の表示装置（液晶表示装置等）の表示することで、試験者がカラーセラピーの状況をモニタリングできるようにしている。
【００９８】
これにより、サーバを運用する試験者は、被験者による複数の診断項目の選択状況や、この複数の診断項目毎に予め設定されている複数の質問事項の回答としての被験者の色の選択、被験者が自身の言葉で回答した選択した色に対する印象、被験者の言葉で構築された診断情報等を試験者端末３００で確認することができる。これにより、深層心理診断システム１において、予め設定されている複数の診断項目や複数の診断項目毎に設定されている複数の質問事項の内容の見直しや変更を行うことができる。そして、見直しや変更された複数の診断項目や複数の質問事項をサーバ１００にアップロードすることで、より被験者の深層心理を的確に構築することができる深層心理診断システム１におけるカラーセラピーとして進化させることができる。
【００９９】
また、第二実施形態においては、ステップＳ１８’の処理において、被験者の複数の質問事項に対して選択した色に対する被験者の印象から自動で構築された被験者の深層心理を試験者がチェックして、被験者の深層心理に被験者の意向を反映することもできる。また、ステップＳ２９’の処理において、被験者の最終質問事項に対する被験者の印象のキーワードから被験者の深層心理（本日の結論）を作成する場合に、自動で構築された被験者の深層心理を試験者がチェックして、被験者の深層心理に被験者の意向を反映することもできる。また、ステップＳ２５’の処理において、被験者の最終質問事項に対して選択した色に対する被験者の印象から自動で構築された被験者の深層心理に沿った行動に促すための結論を試験者がチェックして、被験者の深層心理に沿った行動に促すための結論に被験者自身の言葉を反映することもできる。
【０１００】
このように、本実施形態における深層心理診断システムは、カラーセラピーの進行状況を試験者がモニタリングできるだけではなく、試験者がカラーセラピーに介入してその結果を分析することで、複数の診断項目や複数の診断項目毎に設定されている複数の質問事項の内容の見直しや変更をより具体的に検討することができる。
【０１０１】
上述してきたように、各実施形態においては、被験者が選択した診断項目に予め用意された複数の質問事項に対して色を選択し、さらに、選択した色に対する被験者の印象を被験者自身の言葉で取得し、取得した被験者の印象から被験者自身の言葉で被験者の深層心理を説明することができる。このように、被験者自身の言葉で深層心理を表現することで、被験者が自身の深層心理を的確に把握することが可能となる。さらに、被験者自身の言葉で深層心理の結論を導きながら行動を促す（所謂、心理療法）ことが可能となる。
【０１０２】
以上、各実施形態を通して本発明を説明してきたが、本発明はこれらに限定されるものではない。また、上述した各効果は、本発明から生じる最も好適な効果を列挙したに過ぎず、本発明による効果は、本実施形態に記載されたものに限定されるものではない。
【符号の説明】
【０１０３】
１  深層心理診断システム
１００  サーバ
２００  被験者端末
３００  試験者端末
５００  公衆通信回線網
【図１】
2018010563.tif 000003
【図２】
2018010563.tif 000004
【図３】
2018010563.tif 000005
【図４】
2018010563.tif 000006
【図５】
2018010563.tif 000007
【図６】
2018010563.tif 000008
【図７】
2018010563.tif 000009
【図８】
2018010563.tif 000010
【図９】
2018010563.tif 000011
【図１０】
2018010563.tif 000012
【図１１】
2018010563.tif 000013
【図１２】
2018010563.tif 000014
【図１３】
2018010563.tif 000015
【図１４】
2018010563.tif 000016
【図１５】
2018010563.tif 000017
【図１６】
2018010563.tif 000018
【図１７】
2018010563.tif 000019
【図１８】
2018010563.tif 000020
【図１９】
2018010563.tif 000021
【図２０】
2018010563.tif 000022